(57)【要約】      （修正有）【課題】ブラーリングが軽減された画像データを取得することができる磁気共鳴装置を提供する。【解決手段】画像データＥ１〜ＥｍのピクセルＱ１の信号値を合成する場合、画像データＥ１〜Ｅｍの各々のピクセルＱ１の信号値Ｓ１１〜Ｓｍ１に重み付け係数Ｆ１〜Ｆｍを乗算し、重み付けられた信号値Ｆ１＊Ｓ１１〜Ｆｍ＊Ｓｍ１を求める。重み付け係数は、検出された肝臓の位置と基準位置とのずれ量ｄに基づいて算出される。ずれ量ｄが大きいほど、重み付け係数Ｆ１〜Ｆｍは小さくなり、ずれ量が小さいほど重み付け係数Ｆ１〜Ｆｍは大きくなるので、ブラーリングが低減された画像データを得ることができる。【選択図】図１５
2014128333.tif 000002
【特許請求の範囲】
【請求項１】
被検体の第１の部位のｋ空間のデータを複数回収集するためのスキャンを実行する磁気共鳴装置であって、
前記被検体の体動する第２の部位の位置を検出する検出手段と、
前記スキャンにより収集された複数のｋ空間のデータの各々を画像データに変換する変換手段と、
前記複数のｋ空間のデータの各々の収集時において検出された前記第２の部位の位置に基づいて、前記変換手段により得られた複数の画像データを合成する合成手段と、
を有する、磁気共鳴装置。
【請求項２】
前記第２の部位の位置に基づいて前記第１の部位のスライスを補正する補正手段を有し、
前記スキャンは、補正されたスライスに従ってｋ空間のデータを複数回収集する、請求項１に記載の磁気共鳴装置。
【請求項３】
前記第２の部位の基準位置を決定する基準位置決定手段を有し、
前記合成手段は、
前記検出手段により検出された前記第２の部位の位置と前記基準位置とのずれ量に基づいて、前記複数の画像データを合成する、請求項１又は２に記載の磁気共鳴装置。
【請求項４】
前記第２の部位は、前記被検体の呼吸により体動し、
前記基準位置は、前記被検体が息を吐き切ったときの前記第２の部位の位置である、請求項３に記載の磁気共鳴装置。
【請求項５】
前記合成手段は、
前記ずれ量に基づいて、前記複数の画像データの各々のピクセルの信号値を重み付けし、重み付けられた信号値を加算することにより、前記複数の画像データを合成する、請求項３又は４に記載の磁気共鳴装置。
【請求項６】
前記合成手段は、
前記ずれ量が小さいほど、前記信号値を重み付けするときに用いられる重み付け係数の値を大きくする、請求項５に記載の磁気共鳴装置。
【請求項７】
前記合成手段は、
前記ずれ量が所定値以上の場合は、前記重み付け係数の値をゼロにする、請求項６に記載の磁気共鳴装置。
【請求項８】
前記合成手段は、
前記ずれ量に基づいて、前記複数の画像データの各々のピクセルの信号値の二乗を重み付けし、重み付けられた信号値の二乗を加算し、加算値の平方根を求めることにより、前記複数の画像データを合成する、請求項３又は４に記載の磁気共鳴装置。
【請求項９】
前記合成手段は、
前記ずれ量が小さいほど、前記信号値の二乗を重み付けするときに用いられる重み付け係数の値を大きくする、請求項８に記載の磁気共鳴装置。
【請求項１０】
前記合成手段は、
前記ずれ量が所定値以上の場合は、前記重み付け係数の値をゼロにする、請求項９に記載の磁気共鳴装置。
【請求項１１】
前記スキャンは、前記第２の部位の位置を検出するためのナビゲータシーケンスと、前記第１の部位のｋ空間のデータを収集するためのイメージングシーケンスとを含み、
前記基準位置決定手段は、
前記ナビゲータシーケンスにより検出された前記第２の部位の位置に基づいて、前記基準位置を決定する、請求項３〜１０のうちのいずれか一項に記載の磁気共鳴装置。
【請求項１２】
前記第２の部位の位置を検出するための別のスキャンを実行し、
前記基準位置決定手段は、
前記別のスキャンにより検出された前記第２の部位の位置に基づいて、前記基準位置を決定する、請求項３〜１０のうちのいずれか一項に記載の磁気共鳴装置。
【請求項１３】
被検体の第１の部位のｋ空間のデータを複数回収集するためのスキャンを実行する磁気共鳴装置のプログラムであって、
前記被検体の体動する第２の部位の位置を検出する検出処理と、
前記スキャンにより収集された複数のｋ空間のデータの各々を画像データに変換する変換処理と、
前記複数のｋ空間のデータの各々の収集時において検出された前記第２の部位の位置に基づいて、前記変換手段により得られた複数の画像データを合成する合成処理と、
を計算機に実行させるためのプログラム。
【発明の詳細な説明】
【技術分野】
【０００１】
本発明は、被検体からｋ空間のデータを複数回収集するためのスキャンを実行する磁気共鳴装置、およびその磁気共鳴装置に適用されるプログラムに関する。
【背景技術】
【０００２】
被検体の呼吸信号に基づいてスライス位置を変更するスライストラッキング法が知られている（特許文献１参照）。
【先行技術文献】
【特許文献】
【０００３】
【特許文献１】特開２００６−０２６０７６号公報
【発明の概要】
【発明が解決しようとする課題】
【０００４】
スライストラッキング法の一つとして、ＴＲＯＮ（Tracking Only Navigator）法が知られている。ＴＲＯＮ法は、主に体幹部の拡散強調画像データを取得するときに使用される。しかし、ＴＲＯＮ法では、非剛体の動きをする臓器（肝臓など）を撮影する場合、スライストラッキングだけでは十分な動き補正をすることができず、再構成された画像にブラーリング（blurring）が現れるという問題がある。
したがって、ブラーリングが軽減された画像データを取得する技術が望まれている。
【課題を解決するための手段】
【０００５】
本発明の第１の観点は、被検体の第１の部位のｋ空間のデータを複数回収集するためのスキャンを実行する磁気共鳴装置であって、
前記被検体の体動する第２の部位の位置を検出する検出手段と、
前記スキャンにより収集された複数のｋ空間のデータの各々を画像データに変換する変換手段と、
前記複数のｋ空間のデータの各々の収集時において検出された前記第２の部位の位置に基づいて、前記変換手段により得られた複数の画像データを合成する合成手段と、
を有する、磁気共鳴装置である。
【０００６】
本発明の第２の観点は、被検体の第１の部位のｋ空間のデータを複数回収集するためのスキャンを実行する磁気共鳴装置のプログラムであって、
前記被検体の体動する第２の部位の位置を検出する検出処理と、
前記スキャンにより収集された複数のｋ空間のデータの各々を画像データに変換する変換処理と、
前記複数のｋ空間のデータの各々の収集時において検出された前記第２の部位の位置に基づいて、前記変換手段により得られた複数の画像データを合成する合成処理と、
を計算機に実行させるためのプログラムである。
【発明の効果】
【０００７】
体動する部位の位置に基づいて画像データを合成するので、ブラーリングを軽減することができる。
【図面の簡単な説明】
【０００８】
【図１】本発明の一形態の磁気共鳴装置の概略図である。
【図２】本形態における撮影部位を概略的に示す図である。
【図３】本形態で実施されるスキャンの説明図である。
【図４】本形態のフローを示す図である。
【図５】ローカライザスキャンＳＣ１により取得された画像データを示す図である。
【図６】設定されたスライスおよびナビゲータ領域の一例を示す図である。
【図７】取得された呼吸信号を概略的に示す図である。
【図８】設定された基準位置の一例を示す図である。
【図９】本スキャンＳＣ３の１回目のシーケンス群Ｇで収集されるｋ空間のデータを概略的に示す図である。
【図１０】２回目のシーケンス群Ｇを実行するときの説明図である。
【図１１】ｍ回目のシーケンス群Ｇを実行するときの説明図である。
【図１２】１回目〜ｍ回目のシーケンス群Ｇにより収集されたｋ空間のデータを概略的に示す図である。
【図１３】スライスＳＬ１の画像データを作成する手順の説明図である。
【図１４】画像データＥ１〜Ｅｍを合成するときの説明図である。
【図１５】各ピクセルの信号値を合成した後の様子を示す図である。
【図１６】信号値の別の合成方法の一例を示す図である。
【図１７】各ピクセルの信号値を合成した後の様子を示す図である。
【発明を実施するための形態】
【０００９】
以下、発明を実施するための形態を説明するが、本発明は、以下の形態に限定されることはない。
【００１０】
図１は、本発明の一形態の磁気共鳴装置の概略図である。
磁気共鳴装置（以下、「ＭＲ装置」と呼ぶ。ＭＲ：Magnetic Resonance）１００は、マグネット２、テーブル３、受信コイル４などを有している。
【００１１】
マグネット２は、被検体１１が収容されるボア２１を有している。また、マグネット２は、超伝導コイルと、勾配コイルと、ＲＦコイルとを有している。超伝導コイルは静磁場を印加し、勾配コイルは勾配磁場を印加し、ＲＦコイルはＲＦパルスを送信する。尚、超伝導コイルの代わりに、永久磁石を用いてもよい。
【００１２】
テーブル３は、被検体１１を支持するクレードル３ａを有している。クレードル３ａは、ボア２１内に移動できるように構成されている。クレードル３ａによって、被検体１１はボア２１に搬送される。
【００１３】
受信コイル４は、被検体１１に取り付けられている。受信コイル４は、被検体１１からの磁気共鳴信号を受信する。
【００１４】
ＭＲ装置１００は、更に、送信器５、勾配磁場電源６、受信器７、制御部８、操作部９、および表示部１０などを有している。
【００１５】
送信器５はＲＦコイルに電流を供給し、勾配磁場電源６は勾配コイルに電流を供給する。
受信器７は、受信コイル４から受け取った信号に対して、検波などの信号処理を実行する。
【００１６】
制御部８は、表示部１０に必要な情報を伝送したり、受信器７から受け取ったデータに基づいて画像を再構成するなど、ＭＲ装置１００の各種の動作を実現するように、ＭＲ装置１００の各部の動作を制御する。制御部８は、検出手段８１〜合成手段８５などを有している。
【００１７】
検出手段８１は、ナビゲータシーケンスにより得られたデータに基づいて、肝臓の上端のＳＩ方向の位置を検出する。
ずれ量算出手段８２は、検出された肝臓の上端の位置と基準位置とのずれ量ｄを算出する。
補正手段８３は、スライスを、算出されたずれ量だけ補正する。
変換手段８４は、ｋ空間のデータを画像データに変換する。
合成手段８５は、変換手段８４により得られた複数の画像データを合成する。
尚、制御部８は、検出手段８１〜合成手段８５を構成する手段の一例であり、所定のプログラムを実行することにより、これらの手段として機能する。
【００１８】
操作部９は、オペレータにより操作され、種々の情報を制御部８に入力する。表示部１０は種々の情報を表示する。
ＭＲ装置１００は、上記のように構成されている。
【００１９】
図２は、本形態における撮影部位を概略的に示す図である。
本形態では、撮影部位は、肝臓を含む部位である。撮影部位には、スライスＳＬ１〜ＳＬｎが設定される。図２では、スライスＳＬ１〜ＳＬｎはアキシャルであるが、サジタル、コロナル、又はオブリークであってもよい。
【００２０】
図３は本形態で実施されるスキャンの説明図である。
本形態では、ローカライザスキャンＳＣ１、プレスキャンＳＣ２、および本スキャンＳＣ３が実行される。
【００２１】
ローカライザスキャンＳＣ１は、スライスの位置決めに使用される位置決め画像データを取得するためのスキャンである。
プレスキャンＳＣ２は、肝臓の上端の基準位置を決定するために実行されるスキャンである。
【００２２】
本スキャンＳＣ３は、肝臓の画像データを取得するためのスキャンである。本スキャンＳＣ３では、スライスＳＬ１〜ＳＬｎの画像データを取得するためのシーケンス群Ｇが実行される。また、ＳＮＲ（Signal to Noise Ratio）を向上させるために、シーケンス群Ｇの加算回数ＮＥＸを、ＮＥＸ＝ｍ（ｍは２以上の整数）に設定している。
シーケンス群Ｇは、ナビゲータシーケンスＡ１〜ＡｎとイメージングシーケンスＢ１〜Ｂｎとが実行される。
【００２３】
ナビゲータシーケンスＡ１〜Ａｎは、肺と肝臓との境界を横切るナビゲータ領域Ｒｎａｖ（図２参照）から信号を収集し、肝臓の上端の位置を検出するためのシーケンスである。
イメージングシーケンスＢ１〜Ｂｎは、それぞれ、スライスＳＬ１〜ＳＬｎの画像データを取得するためのシーケンスである。
以下に、図３に示すシーケンス群Ｇにより画像データを収集するときのフローについて説明する。
【００２４】
図４は、本形態のフローを示す図である。
ステップＳＴ１では、ローカライザスキャンＳＣ１を実行する（図５参照）。
【００２５】
図５は、ローカライザスキャンＳＣ１により取得された画像データを示す図である。
ローカライザスキャンは、スライスの位置決めに使用される位置決め画像データＥを取得するためのスキャンである。位置決め画像データＥを取得した後、ステップＳＴ２に進む。
【００２６】
ステップＳＴ２では、オペレータは、位置決め画像データＥに基づいて、スライスおよびナビゲータ領域を設定する。図６に、設定されたスライスおよびナビゲータ領域の一例を示す。スライスＳＬ１〜ＳＬｎは、肝臓全体を覆うように設定される。また、ナビゲータ領域Ｒｎａｖは、肺と肝臓との境界を横切るように設定される。スライスＳＬ１〜ＳＬｎおよびナビゲータ領域Ｒｎａｖを設定した後、ステップＳＴ３に進む。
【００２７】
ステップＳＴ３では、プレスキャンＳＣ２が実行される。プレスキャンＳＣ２では、ナビゲータシーケンスが繰り返し実行される。ナビゲータシーケンスは、ナビゲータ領域Ｒｎａｖ内における肝臓の上端のＳＩ方向の位置を検出するためのシーケンスである。被検体の呼吸運動により肝臓の上端のＳＩ方向の位置が変化するので、ナビゲータシーケンスを繰り返し実行することにより、被検体の呼吸信号を取得することができる。図７に、取得された呼吸信号を概略的に示す。呼吸信号を取得した後、ステップＳＴ４に進む。
【００２８】
ステップＳＴ４では、ステップＳＴ３で取得した呼吸信号に基づいて、肝臓の上端のＳＩ方向の基準位置を設定する。図８に、設定された基準位置の一例を示す。本形態では、被検体が息を吐き終ったときの位置を、基準位置Ｐｒｅｆとして設定する。被検体が息を吐くと、肝臓の上端はＳ側に移動し、被検体が息を吸うと肝臓の上端はＩ側に移動する。したがって、呼吸信号の極大値を検出することにより、被検体が息を吐き終ったときの位置を検出することができる。基準位置Ｐｒｅｆは、オペレータが呼吸信号を見ながら手動で設定してもよいし、呼吸信号に基づいて自動で設定してもよい。基準位置Ｐｒｅｆを設定した後、ステップＳＴ５に進む。
【００２９】
ステップＳＴ５では、本スキャンＳＣ３を実行する。
図９は、本スキャンＳＣ３の１回目のシーケンス群Ｇで収集されるｋ空間のデータを概略的に示す図である。
先ず、ナビゲータシーケンスＡ１が実行される。ナビゲータシーケンスＡ１が実行されると、検出手段８１（図１参照）は、ナビゲータシーケンスＡ１により得られたデータに基づいて、時点ｔ１１における肝臓の上端のＳＩ方向の位置Ｐ１１を検出する。ずれ量算出手段８２（図１参照）は、検出された肝臓の上端の位置Ｐ１１と基準位置Ｐｒｅｆとのずれ量ｄ（＝ｄ１１）を算出する。次に、補正手段８３（図１参照）は、ステップＳＴ２で設定したスライスＳＬ１を、算出されたずれ量ｄ１１だけ補正する。図９（ａ）に、ｄ１１だけ補正された後のスライスＳＬ１を示す。
【００３０】
次に、ｄ１１だけ補正された後のスライスＳＬ１に従って、イメージングシーケンスＢ１が実行される。本形態では、イメージングシーケンスＢ１は高速撮像シーケンスであり、イメージングシーケンスＢ１を実行することにより、スライスＳＬ１のｋ空間の全てのビューのデータが収集される。図９（ａ）に、イメージングシーケンスＢ１により収集されたｋ空間のデータＤ１１を概略的に示す。
【００３１】
イメージングシーケンスＢ１が実行された後、ナビゲータシーケンスＡ２が実行される。ナビゲータシーケンスＡ２が実行されると、検出手段８１は、ナビゲータシーケンスＡ２により得られたデータに基づいて、時点ｔ１２における肝臓の上端のＳＩ方向の位置Ｐ１２を検出する。ずれ量算出手段８２は、検出された肝臓の上端の位置Ｐ１２と基準位置Ｐｒｅｆとのずれ量ｄ（＝ｄ１２）を算出する。次に、補正手段８３は、ステップＳＴ２で設定したスライスＳＬ２を、算出されたずれ量ｄ１２だけ補正する。図９（ｂ）に、ｄ１２だけ補正された後のスライスＳＬ２を示す。
【００３２】
次に、ｄ１２だけ補正された後のスライスＳＬ２に従って、イメージングシーケンスＢ２が実行される。イメージングシーケンスＢ２は高速撮像シーケンスであり、イメージングシーケンスＢ２を実行することにより、スライスＳＬ２のｋ空間の全てのビューのデータが収集される。図９（ｂ）に、イメージングシーケンスＢ２により収集されたｋ空間のデータＤ１２を概略的に示す。
【００３３】
以下同様に、ナビゲータシーケンスとイメージングシーケンスとが交互に実行され、各スライスのｋ空間のデータが収集される。そして、ナビゲータシーケンスＡｎが実行される。ナビゲータシーケンスＡｎが実行されると、検出手段８１は、ナビゲータシーケンスＡｎにより得られたデータに基づいて、時点ｔ１ｎにおける肝臓の上端のＳＩ方向の位置Ｐ１ｎを検出する。ずれ量算出手段８２は、検出された肝臓の上端の位置Ｐ１ｎと基準位置Ｐｒｅｆとのずれ量ｄ（＝ｄ１ｎ）を算出する。次に、補正手段８３は、ステップＳＴ２で設定したスライスＳＬｎを、算出されたずれ量ｄ１ｎだけ補正する。図９（ｃ）に、ｄ１ｎだけ補正された後のスライスＳＬｎを示す。
【００３４】
したがって、１回目のシーケンス群Ｇを実行することにより、スライスＳＬ１〜ＳＬｎのｋ空間のデータＤ１１〜Ｄ１ｎを収集することができる。
１回目のシーケンス群Ｇを実行した後、２回目のシーケンス群Ｇが実行される。
【００３５】
図１０は、２回目のシーケンス群Ｇを実行するときの説明図である。
２回目のシーケンス群Ｇでも、１回目のシーケンス群Ｇと同様にナビゲータシーケンスＡ１〜Ａｎが実行され、肝臓の上端の位置Ｐ２１〜Ｐ２ｎが検出される。そして、検出した位置Ｐ２１〜Ｐ２ｎと基準位置Ｐｒｅｆとのずれ量ｄ２１〜ｄ２ｎに基づいて、ステップＳＴ２で設定したスライスＳＬ１〜ＳＬｎが補正され、イメージングシーケンスＢ１〜Ｂｎが実行される。したがって、２回目のシーケンス群Ｇでは、スライスＳＬ１〜ＳＬｎのｋ空間のデータＤ２１〜Ｄ２ｎが収集される。
【００３６】
以下同様に、２回目のシーケンス群Ｇが終了したら、３回目以降のシーケンス群Ｇも同様に実行され、スライスＳＬ１〜ＳＬｎのｋ空間のデータが収集される。そして、最後に、ｍ回目のシーケンス群Ｇが実行される。
【００３７】
図１１は、ｍ回目のシーケンス群Ｇを実行するときの説明図である。
ｍ回目のシーケンス群Ｇでも、１回目のシーケンス群Ｇと同様にナビゲータシーケンスＡ１〜Ａｎが実行され、肝臓の上端の位置Ｐｍ１〜Ｐｍｎが検出される。そして、検出した位置Ｐｍ１〜Ｐｍｎと基準位置Ｐｒｅｆとのずれ量ｄｍ１〜ｄｍｎに基づいて、ステップＳＴ２で設定したスライスＳＬ１〜ＳＬｎが補正され、イメージングシーケンスＢ１〜Ｂｎが実行される。したがって、ｍ回目のシーケンス群Ｇでは、スライスＳＬ１〜ＳＬｎのｋ空間のデータＤｍ１〜Ｄｍｎが収集される。
【００３８】
このようにして、シーケンス群Ｇが加算回数ＮＥＸ（＝ｍ）だけ実行される。図１２に、１回目〜ｍ回目のシーケンス群Ｇにより収集されたｋ空間のデータを概略的に示す。
ｋ空間のデータを収集した後、ステップＳＴ６に進む。
【００３９】
ステップＳＴ６では、ステップＳＴ５で収集されたｋ空間のデータに基づいて、各スライスＳＬ１〜ＳＬｎの画像データを作成する。尚、どのスライスであっても、画像データの作成方法は同じであるので、以下では、スライスＳＬ１〜ＳＬｎのうち、代表してスライスＳＬ１を取り上げ、スライスＳＬ１の画像データを作成する手順について説明する（図１３参照）。
【００４０】
図１３は、スライスＳＬ１の画像データを作成する手順の説明図である。
変換手段８４（図１参照）は、先ず、スライスＳＬ１のｋ空間のデータＤ１１〜Ｄｍ１の各々を実空間のデータに変換する。ｋ空間のデータＤ１１〜Ｄｍ１の各々を実空間のデータに変換することにより、ｍ枚のスライスＳＬ１の画像データＥ１〜Ｅｍが得られる。画像データＥ１〜Ｅｍを得た後、これらの画像データＥ１〜Ｅｍを合成する（図１４参照）。
【００４１】
図１４は、画像データＥ１〜Ｅｍを合成するときの説明図である。
合成手段８５（図１参照）は、画像データＥ１〜Ｅｍから、同一位置のピクセルの信号値を取り出し、ずれ量ｄに基づいて、ピクセルの信号値を合成する。
【００４２】
例えば、画像データＥ１〜ＥｍのピクセルＱ１の信号値を合成する場合、画像データＥ１〜Ｅｍの各々のピクセルＱ１の信号値Ｓ１１〜Ｓｍ１に重み付け係数Ｆ１〜Ｆｍを乗算し、重み付けられた信号値Ｆ１＊Ｓ１１〜Ｆｍ＊Ｓｍ１を求める。尚、重み付け係数Ｆ１〜Ｆｍは、以下の式で表すことができる。
【数１】
2014128333.tif 000003
【００４３】
式（ｆ１）〜（ｆｍ）の定数ｋは、予め設定されている値であり、例えば、ｋ＝３．３３（ｃｍ）とすることができる。ｋ＝３．３３の場合、式（ｆ１）〜（ｆｍ）は、以下のように表される。
【数２】
2014128333.tif 000004
【００４４】
例えば、ｄ１１＝１ｃｍ、ｄ２１＝３ｃｍ、ｄｍ１＝２ｃｍである場合、Ｆ１＝０．７、Ｆ２＝０．１、Ｆｍ＝０．４となる。この場合、重み付けられた信号値は、Ｆ１＊Ｓ１１＝０．７Ｓ１１、Ｆ２＊Ｓ２１＝０．１Ｓ２１、Ｆｍ＊Ｓｍ１＝０．４Ｓｍ１となる。したがって、肝臓の上端が基準位置Ｐｒｅｆに近いほど、ピクセルＱ１の信号値Ｓ１１〜Ｓｍ１の重みが大きくなり、肝臓の上端が基準位置Ｐｒｅｆから遠いほど、ピクセルＱ１の信号値Ｓ１１〜Ｓｍ１の重みが小さくなることがわかる。特に、ずれ量ｄ１１〜ｄｍ１がｋ＝３．３３（ｃｍ）以上ある場合は、重み付け係数Ｆ１〜Ｆｍはゼロとなる。したがって、肝臓の上端が基準位置Ｐｒｅｆから離れすぎている場合は、ピクセルＱ１の信号値Ｓ１１〜Ｓｍ１の重みをゼロにすることができる。
【００４５】
重み付けられた信号値Ｆ１＊Ｓ１１〜Ｆｍ＊Ｓｍ１を求めた後、これらの信号値を加算する。加算の式は、以下の式で表すことができる。
【数３】
2014128333.tif 000005
【００４６】
このようにして得られた信号値ＳＰ１が、合成後の画像データＥｃｏｍｂのピクセルＱ１の信号値として採用される。
図１４では、ピクセルＱ１の信号値を合成する場合について説明されているが、他の各ピクセルＱ２〜Ｑｚの信号値を合成する場合も、各信号値を重み付け係数Ｆ１〜Ｆｍで重み付けし、重み付けられた信号値を加算すればよい。図１５に、各ピクセルの信号値を合成した後の様子を示す。このようにして、スライスＳＬ１の合成後の画像データを得ることができる。尚、場合によっては、スライスＳＬ１の全てのずれ量ｄ１１〜ｄｍ１がｋ＝３．３３（ｃｍ）以上になることがあり得る。この場合、全ての重み付け係数Ｆ１〜Ｆｍがゼロになってしまうので、合成後の画像データＥｃｏｍｂの全てのピクセルの信号値がゼロになってしまい、スライスＳＬ１の画像を表示することができなくなる。したがって、スライスＳＬ１の全てのずれ量ｄ１１〜ｄｍ１がｋ＝３．３３（ｃｍ）以上になった場合は、ずれ量ｄ１１〜ｄｍ１の少なくとも一つがｋ＝３．３３（ｃｍ）よりも小さい値になるまで、スライスＳＬ１のデータを再収集するためのスキャンを実行すればよい。
【００４７】
図１４および図１５は、スライスＳＬ１の画像データを合成する方法について説明されているが、他のスライスＳＬ２〜ＳＬｎについても、同様の方法で合成することができる。
【００４８】
尚、信号値の合成方法は、図１４および図１５に示す方法に限定されることはない。
図１６は、信号値の別の合成方法の一例を示す図である。
図１６では、画像データＥ１〜ＥｍのピクセルＱ１の信号値を合成する場合、先ず、画像データＥ１〜Ｅｍの各々のピクセルＱ１の信号値Ｓ１１〜Ｓｍ１を二乗し、重み付け係数Ｆ１〜Ｆｍで重み付けする。したがって、信号値Ｆ１＊Ｓ１１２〜Ｆｍ＊Ｓｍ１２が求められる。尚、重み付け係数Ｆ１〜Ｆｍは、図１４および図１５の場合と同じ式が用いられる。
【００４９】
重み付けられた信号値Ｆ１＊Ｓ１１２〜Ｆｍ＊Ｓｍ１２を求めた後、以下の式に従って、これらの信号値を加算し、平方根を求める。
【数４】
2014128333.tif 000006
【００５０】
このようにして得られた信号値ＳＰ１が、合成後の画像データＥｃｏｍｂのピクセルＱ１の信号値として採用される。
【００５１】
図１６では、ピクセルＱ１の信号値を合成する場合について説明されているが、他の各ピクセルＱ２〜Ｑｚの信号値も、同様の方法で合成することができる。図１７に、各ピクセルの信号値を合成した後の様子を示す。このようにして、スライスＳＬ１の合成後の画像データを得てもよい。
【００５２】
図１６および図１７は、スライスＳＬ１の画像データを合成する方法について説明されているが、他のスライスＳＬ２〜ＳＬｎについても、同様の方法で合成することができる。
【００５３】
本形態では、肝臓の上端が基準位置Ｐｒｅｆに近いほどピクセルの信号値の重みが大きくなり、肝臓の上端が基準位置Ｐｒｅｆから遠いほどピクセルの信号値の重みが小さくなるので、ブラーリングが低減された画像データを得ることができる。
【００５４】
また、本形態では、ずれ量ｄがｋ（ｃｍ）以上ある場合は、重み付け係数はゼロとなる。したがって、肝臓の上端が基準位置Ｐｒｅｆから離れすぎている場合は、信号値の重みはゼロとなるので、ブラーリングを更に低減することが可能となる。
【００５５】
尚、本形態では、基準位置Ｐｒｅｆは、被検体が息を吐き終ったときの肝臓の上端の位置である。被検体が息を吐き終わる前後の時間では、肝臓の上端の位置の変動量は小さいので、基準位置Ｐｒｅｆを、被検体が息を吐き終ったときの肝臓の上端の位置に設定しておくことにより、ブラーリングを更に低減することが可能である。尚、ブラーリングを低減することができるのであれば、基準位置Ｐｒｅｆは、被検体が息を吐き終わったときの肝臓の上端の位置に限定されることはなく、例えば、被検体が息を吸い終わったときの肝臓の上端の位置に設定してもよいし、被検体が息を吸っている途中や息を吐いている途中における肝臓の上端の位置に設定してもよい。
【００５６】
本形態では、シーケンス群Ｇで、ｎ回のナビゲータシーケンスＡ１〜Ａｎとｎ回のイメージングシーケンスＢ１〜Ｂｎとが実行されている。しかし、ナビゲータシーケンスが実行される回数は、イメージングシーケンスが実行される回数と同じである必要はなく、異なっていてもよい。例えば、１回のナビゲータシーケンスと、複数回（例えば２回）のイメージングシーケンスとを交互に実行してもよい。この場合、１回のナビゲータシーケンスにより得られた肝臓の上端の位置に基づいて、複数回のイメージングシーケンスにより得られた複数の画像データの重み付けを行えばよい。
【００５７】
本形態では、プレスキャンＳＣ２により得られたデータに基づいて基準位置Ｐｒｅｆを求めているが、プレスキャンＳＣ２を実行せずに、１回目のシーケンス群Ｇの最初に実行されるナビゲータシーケンスＡ１で得られた肝臓の上端の位置を、基準位置Ｐｒｅｆとしてもよい。
【００５８】
本形態では、ずれ量に基づいてスライスを補正するスキャンを実行する場合について記載されているが、本発明はこれに限定されることはなく、スライスを補正しないスキャン（例えば、肝臓の上端が基準位置に到達したときにのみｋ空間のデータを収集するスキャン）を実行する場合にも適用することができる。この場合、イメージングシーケンスの直前にナビゲータシーケンスを実行してもよいし、イメージングシーケンスの直後にナビゲータシーケンスを実行してもよい。また、複数回のイメージングシーケンスを実行する直前に１回のナビゲータシーケンスを実行してもよいし、複数回のイメージングシーケンスを実行した直後に１回のナビゲータシーケンスを実行してもよい。
【００５９】
また、本形態では、肝臓の上端の位置を検出しているが、被検体の体動を検出できるのであれば、肝臓の上端とは別の部位の位置を検出してもよい。また、本形態では、撮影部位は肝臓であるが、本発明は、肝臓以外の部位（例えば、腎臓）を撮影部位とする場合にも適用することができる。
【符号の説明】
【００６０】
２  マグネット
３  テーブル
３ａ  クレードル
４  受信コイル
５  送信器
６  勾配磁場電源
７  受信器
８  制御部
９  操作部
１０  表示部
１１  被検体
２１  ボア
８１  検出手段
８２  ずれ量算出手段
８３  補正手段
８４  変換手段
８５  合成手段
【図１】
2014128333.tif 000007
【図２】
2014128333.tif 000008
【図３】
2014128333.tif 000009
【図４】
2014128333.tif 000010
【図５】
2014128333.tif 000011
【図６】
2014128333.tif 000012
【図７】
2014128333.tif 000013
【図８】
2014128333.tif 000014
【図９】
2014128333.tif 000015
【図１０】
2014128333.tif 000016
【図１１】
2014128333.tif 000017
【図１２】
2014128333.tif 000018
【図１３】
2014128333.tif 000019
【図１４】
2014128333.tif 000020
【図１５】
2014128333.tif 000021
【図１６】
2014128333.tif 000022
【図１７】
2014128333.tif 000023